【手続補正書】
【提出日】平成19年1月9日(2007.1.9)
【手続補正１】
【補正対象書類名】明細書
【補正対象項目名】特許請求の範囲
【補正方法】変更
【補正の内容】
【特許請求の範囲】
【請求項１】
波長分割多重システムにおける補助データのための装置であり、
波長分割多重光信号の個々の波長チャネルに関連付けられた補助データを、それぞれ個々の波長チャネルに提供するデータソースと、
個々の波長チャネルに関連付けられた補助データによってサブキャリア周波数信号を変調する変調器と、
個々の波長チャネルに関連付けられた補助データを転送する変調されたサブキャリア周波数信号によって個々に特有の波長チャネルを振幅強度変調する強度変調器と、を備え、
前記変調器および強度変調器は、他方のサブキャリア周波数信号に垂直な各特有の波長チャネルにサブキャリア周波数信号を提供し、
光信号が多重化された振幅強度変調光信号の部分タッピングを行なうタップカップラと、
光信号のタップ部分を電気信号に変換する光電変換器と、
前記電気信号から個々の波長チャネルに関連する変調サブキャリア周波数信号を検出し、変調サブキャリア周波数信号から個々の波長チャネルに関連する補助データを検出する検出器と、
を備えた、波長分割多重システムにおける補助データ伝送装置。
【請求項２】
前記変調器は、光データ信号のビットレートより少なくとも８桁低いビットレートにおいて、サブキャリア周波数信号を補助データによって変調処理を行なう構成であることを特徴とする請求項１に記載の波長分割多重システムにおける補助データ伝送装置。
【請求項３】
前記サブキャリア周波数信号の周波数は、光データ信号のビットレートの２分の１より小であることを特徴とする請求項２に記載の波長分割多重システムにおける補助データ伝送装置。
【請求項４】
前記補助データは、チャネルソース識別情報を含むことを特徴とする請求項３に記載の波長分割多重システムにおける補助データ伝送装置。
【請求項５】
前記変調器は、振幅変調器であることを特徴とする請求項４に記載の波長分割多重システムにおける補助データ伝送装置。
【請求項６】
前記補助データは、チャネルソースのインターネット・プロトコル・アドレスを含むことを特徴とする請求項１乃至５いずれかに記載の波長分割多重システムにおける補助データ伝送装置。
【請求項７】
前記補助データは、チャネルソースの物理的位置識別子を含むことを特徴とする請求項１乃至５いずれかに記載の波長分割多重システムにおける補助データ伝送装置。
【請求項８】
前記補助データは、動作または保護チャネルソース識別子を含むことを特徴とする請求項１乃至５いずれかに記載の波長分割多重システムにおける補助データ伝送装置。
【請求項９】
前記補助データは、ペイロード・フォーマット識別子を含むことを特徴とする請求項１乃至５いずれかに記載の波長分割多重システムにおける補助データ伝送装置。
【請求項１０】
前記補助データは、ペイロード・ビットレート識別子を含むことを特徴とする請求項１乃至５いずれかに記載の波長分割多重システムにおける補助データ伝送装置。
【請求項１１】
複数の波長チャネルを含む光データ信号を転送する波長分割多重システムにおける補助データのためのエンコーダであって、
波長分割多重光信号の個々の波長チャネルに関連する補助データを、それぞれ個々の波長チャネルに提供するデータソースと、
サブキャリア周波数信号を個々の波長チャネルに関連する補助データによって変調処理を行なう変調器と、
前記変調されたサブキャリア周波数信号によって、個々に特有の波長チャネルを振幅強度変調する強度変調器と、を有し、
各波長チャネルのサブキャリア周波数信号が垂直となる、エンコーダ。
【請求項１２】
前記変調器は、光データ信号のビットレートより少なくとも８桁低いビットレートにおいて、サブキャリア周波数信号を補助データによって変調処理を行なう構成であることを特徴とする請求項１１に記載の波長分割多重システムにおけるエンコーダ。
【請求項１３】
前記変調サブキャリア周波数信号のビットレートは、光データ信号のビットレートの２分の１より小であることを特徴とする請求項１２に記載の波長分割多重システムにおけるエンコーダ。
【請求項１４】
前記補助データは、チャネルソース識別情報を含むことを特徴とする請求項１３に記載の波長分割多重システムにおけるエンコーダ。
【請求項１５】
前記変調器は、振幅変調器であることを特徴とする請求項１４に記載の波長分割多重システムにおけるエンコーダ。
【請求項１６】
前記補助データは、チャネル波長ソースのインターネット・プロトコル・アドレスを含むことを特徴とする請求項１１乃至１５いずれかに記載の波長分割多重システムにおけるエンコーダ。
【請求項１７】
前記補助データは、チャネルソースの物理的位置識別子を含むことを特徴とする請求項１１乃至１５いずれかに記載の波長分割多重システムにおけるエンコーダ。
【請求項１８】
前記補助データは、動作または保護チャネルソース識別子を含むことを特徴とする請求項１１乃至１５いずれかに記載の波長分割多重システムにおけるエンコーダ。
【請求項１９】
前記補助データは、ペイロード・フォーマット識別子を含むことを特徴とする請求項１１乃至１５いずれかに記載の波長分割多重システムにおけるエンコーダ。
【請求項２０】
前記補助データは、ペイロード・ビットレート識別子を含むことを特徴とする請求項１１乃至１５いずれかに記載の波長分割多重システムにおけるエンコーダ。
【請求項２１】
複数の波長チャネルを含む光データ信号から補助データを検出し、個々の波長チャネルが個々の波長チャネルに関連する補助データによって変調された変調サブキャリア周波数信号によって振幅強度変調され、異なる波長チャネルのサブキャリア周波数信号が垂直である、波長分割多重システムにおけるデコーダであり、
変調光データ信号の部分タッピングを行なうタップカップラと、
タップ部分の電気信号への変換処理を実行する光電変換器と、
前記電気信号から変調サブキャリア周波数信号を検出し、個々に特有の波長チャネルに関連する該変調サブキャリア周波数信号から個々の波長チャネルに関連する補助データを検出する検出器と、
を有することを特徴とする波長分割多重システムにおけるデコーダ。
【請求項２２】
前記デコーダは、光データ信号のビットレートより少なくとも８桁低いビットレートにおいて供給される補助データを抽出する構成であることを特徴とする請求項２１に記載の波長分割多重システムにおけるデコーダ。
【請求項２３】
前記変調サブキャリア周波数信号のビットレートは、光データ信号のビットレートの２分の１より小であることを特徴とする請求項２２に記載の波長分割多重システムにおけるデコーダ。
【請求項２４】
前記補助データは、チャネルソース識別情報を含むことを特徴とする請求項２３に記載の波長分割多重システムにおけるデコーダ。
【請求項２５】
前記検出器は、振幅変調サブキャリア周波数信号から補助データを検出する構成であることを特徴とする請求項２４に記載の波長分割多重システムにおけるデコーダ。
【請求項２６】
前記補助データは、チャネルソースのインターネット・プロトコル・アドレスを含むことを特徴とする請求項２１乃至２５いずれかに記載の波長分割多重システムにおけるデコーダ。
【請求項２７】
前記補助データは、チャネルソースの物理的位置識別子を含むことを特徴とする請求項２１乃至２５いずれかに記載の波長分割多重システムにおけるデコーダ。
【請求項２８】
前記補助データは、動作または保護チャネルソース識別子を含むことを特徴とする請求項２１乃至２５いずれかに記載の波長分割多重システムにおけるデコーダ。
【請求項２９】
前記補助データは、ペイロード・フォーマット識別子を含むことを特徴とする請求項２１乃至２５いずれかに記載の波長分割多重システムにおけるデコーダ。
【請求項３０】
前記補助データは、ペイロード・ビットレート識別子を含むことを特徴とする請求項２１乃至２５いずれかに記載の波長分割多重システムにおけるデコーダ。
【請求項３１】
波長分割多重システムにおける補助データのための装置であって、
追加データを提供するためのデータソースを含み、前記追加データはチャネルソース識別情報を有し、
光データ信号の個々の波長チャネルに関連する個々の補助データを波長チャネルに挿入する手段を含み、光データ信号の個々の波長チャネルは、個々の補助データによって変調されているサブキャリア信号によって振幅強度変調され、前記個々の波長チャネルに関連する前記サブキャリア信号は他方の波長チャネル上のサブキャリア信号に対して垂直である装置。
【請求項３２】
複数の波長チャネルを有する光データ信号を転送する波長分割多重システムにおいて補助データと通信する装置であって、
第１のノードにおいて、
サブキャリア周波数信号の１組を提供する入力を備え、各サブキャリア周波数信号は波長チャネルのそれぞれ１つに関連する補助データを転送し、サブキャリア周波数信号の組は垂直であり、
それぞれ個々のサブキャリア周波数信号を、前記光データ信号の関連する波長チャネルに挿入する変調器を備え、
第２のノードにおいて、
前記変調された光データ信号の部分をタッピングするタップと、
前記光データ信号から前記サブキャリア周波数信号の組を検出し、前記変調された各個々の波長チャネルに関連するサブキャリア周波数信号から補助データを検出する、検出器と、
を備える装置。
【請求項３３】
複数の波長チャネルを含む光データ信号を転送する波長分割多重システムにおいて補助データと通信する装置であって、
第１のノードにおいて、
個々の波長チャネルに関連する補助データのソースと、
個々の波長チャネルに関連する個々の補助データによって個々の波長チャネルに関連するサブキャリア周波数信号の一組を変調するエンコーダと、を備え、前記サブキャリア周波数信号の一組は垂直であり、
個々の変調されたサブキャリア周波数信号を前記関連する前記光データ信号の波長チャネルに挿入する挿入手段と、を備え、
第２のノードにおいて、
前記変調された光データ信号の部分をタッピングするタップカプラと、
前記光データ信号から変調されたサブキャリア周波数信号を復元し、前記変調されたサブキャリア周波数信号から、各個々の波長チャネルに関連する補助データを検出する検出器と、
を備える装置。